(57)【要約】【課題】強度及び切削力が高く、毛屑の詰まりが発生せず、クリーニングが容易な鼻毛カッターの電動刃を提供すること。【解決手段】電動刃座体１０が、伝動部材に連接される連接端１００と、固定端１０２と、連接端１００及び固定端１０２を貫通する収容空間１０４を備え、電動刃装置１３が、固定端１０２に設置されて電動刃座体１０に連動する連接構造１３０と、連接構造１３０と一体成形されたナイフ１３２を含み、ナイフ１３２が、本体と複数の切削部を含み、各切削部の一側辺に切削端辺１３２２が形成され、切削端辺１３２２と逆側の角が弧面構造とされ、連結棒１１が収容空間１０４に配置されて電動刃座体１０と電動刃装置１３を連結し、固定刃１４の被着端１４２が電動刃装置１３及び電動刃座体１０に被着され、固定刃１４の保護端１４２に切削斜面を備えた複数の穿通孔１４４が設けられる。【選択図】図１
0003213105.tif 000002
【実用新案登録請求の範囲】
【請求項１】
鼻毛カッターの電動刃であって、伝動部材を備えたハンドルに連結して用いられ、電動刃座体と、電動刃装置と、連結棒と、固定刃を含み、
前記電動刃座体が、前記伝動部材に連接する連接端と、固定端と、前記連接端及び前記固定端を貫通する収容空間を備え、
前記電動刃装置が、前記固定端に設置されて前記電動刃座体に連動する連接構造と、前記連接構造と一体成形されたナイフを含み、前記ナイフが、本体と、本体の側面から張り出した複数の切削部を含み、各前記切削部の一側辺に切削端辺が形成されると共に、前記切削端辺と対向する側の角が弧面構造とされ、
前記連結棒が前記収容空間に配置され、かつ、前記電動刃座体と前記電動刃装置とを連結し、
前記固定刃が、被着端と保護端を備え、前記被着端が前記電動刃及び前記電動刃座体の外部に被着され、前記保護端に複数の穿通孔が設けられ、各前記穿通孔が切削斜面を備え、かつ前記切削端辺と相隣して設置された、
ことを特徴とする、鼻毛カッターの電動刃。
【請求項２】
横断面において、各前記切削部の一側面が外方へ凸な弧状に湾曲すると共に、他側面が平面であり、かつ前記切削部の他側面に平行な前記本体の断面の中心線と各切削部の一側面の接線とのなす角度が鋭角であることを特徴とする、請求項１に記載の鼻毛カッターの電動刃。
【請求項３】
前記切削端辺が、前記切削部において前記保護端側の頂部から底部まで延伸されたことを特徴とする、請求項１に記載の鼻毛カッターの電動刃。
【請求項４】
前記弧面構造が、前記切削部において前記保護端側の頂部に位置することを特徴とする、請求項１に記載の鼻毛カッターの電動刃。
【請求項５】
前記連結棒の側面に位置規制部が設けられ、前記電動刃座体の前記連接端の内側面に、前記位置規制部と相互に当接される位置規制面が設けられて、前記連結棒と前記電動刃座体とが連動して回動することを特徴とする、請求項１に記載の鼻毛カッターの電動刃。
【請求項６】
前記電動刃の前記連接構造の側面に少なくとも１つの位置決め部が設けられ、前記電動刃座体の前記固定端の内側面に、前記位置決め部と相互に係合されるほぞ部が設けられて、前記電動刃前記電動刃座体とが連動して回動することを特徴とする、請求項１に記載の鼻毛カッターの電動刃。
【請求項７】
前記連結棒が一端に弾性部材を備え、前記伝動部材が前記弾性部材により付勢されることで、前記ナイフが前記固定刃の内側面に押し付けられることを特徴とする、請求項１に記載の鼻毛カッターの電動刃。
【請求項８】
前記穿通孔がＬ字形を呈することを特徴とする、請求項１に記載の鼻毛カッターの電動刃。
【考案の詳細な説明】
【技術分野】
【０００１】
本考案は、鼻毛カッターの電動刃に関する。
【背景技術】
【０００２】
一般的な鼻毛カッターは、本体座体を備え、前記本体座体内にモーターと、配線を介してモーターに接続された電池が収容されている。モーターには、本体座体の上方に突出された軸棒が設置され、前記軸棒に固定座体が挿入され、前記固定座体にその中を貫通した溝部が設けられ、前記溝部中にナイフ片が嵌置される。前記ナイフ片が溝部中に配置された部分に貫通孔が設けられ、ピンを固定座体に穿通し、溝部中のナイフ片を固定することができるようになっている。
このような鼻毛カッターのナイフ片は組み立て式の構造を採用しているが、固定座体がモーターの駆動に伴って回動するとき、ピンがモーターの発生する振動と、固定座体が旋回時に発生する遠心力によって弛み、固定座体から脱落して、溝部中のナイフ片がずれたり、落下したりすることがある。
このほか、ナイフ片の構造が比較的薄いため変形しやすく、かつばねとの組み立てが容易でなく、さらにナイフ片とばねが単独で組み立てられるため、毛屑が詰まりやすく、クリーニングが困難である。
【考案の概要】
【考案が解決しようとする課題】
【０００３】
本考案が解決しようとする課題は、上述の問題を解決し、構造的な強度を強化し、電動刃装置の切削力が高く、毛屑の詰まりが発生せず、クリーニングが容易な鼻毛カッターの電動刃を提供することにある。
【課題を解決するための手段】
【０００４】
本考案の鼻毛カッターの電動刃は、伝動部材を備えたハンドルに連結して用いられ、電動刃座体と、電動刃装置と、連結棒と、固定刃を含み、前記電動刃座体が、前記伝動部材に連接する連接端と、固定端と、前記連接端及び前記固定端を貫通する収容空間を備え、前記電動刃装置が、前記固定端に設置されて前記電動刃座体に連動する連接構造と、前記連接構造と一体成形されたナイフを含み、前記ナイフが、本体と、本体の側面から張り出した複数の切削部を含み、各前記切削部の一側辺に切削端辺が形成されると共に、前記切削端辺と対向する側の角が弧面構造とされ、前記連結棒が前記収容空間に配置され、かつ、前記電動刃座体と前記電動刃装置とを連結し、前記固定刃が、被着端と保護端を備え、前記被着端が前記電動刃及び前記電動刃座体の外部に被着され、前記保護端に複数の穿通孔が設けられ、各前記穿通孔が切削斜面を備え、かつ前記切削端辺と相隣して設置される。
【０００５】
以下の構成を採用しても良い。
横断面において、各前記切削部の一側面が外方へ凸な弧状に湾曲すると共に、他側面が平面であり、かつ前記切削部の他側面に平行な前記本体の断面の中心線と各切削部の一側面の接線とのなす角度が鋭角である構成。
前記切削端辺が、前記切削部において前記保護端側の頂部から底部まで延伸された構成。
前記弧面構造が、前記切削部において前記保護端側の頂部に位置する構成。
前記連結棒の側面に位置規制部が設けられ、前記電動刃座体の前記連接端の内側面に、前記位置規制部と相互に当接される位置規制面が設けられて、前記連結棒と前記電動刃座体とが連動して回動する構成。
前記電動刃の前記連接構造の側面に少なくとも１つの位置決め部が設けられ、前記電動刃座体の前記固定端の内側面に、記位置決め部と相互に係合されるほぞ部が設けられて、前記電動刃前記電動刃座体とが連動して回動する構成。
前記連結棒が一端に弾性部材を備え、前記伝動部材が前記弾性部材により付勢されることで、前記ナイフが前記固定刃の内側面に押し付けられている構成。
前記穿通孔がＬ字形を呈する構成。
【考案の効果】
【０００６】
本考案によれば、電動刃装置の連接構造とナイフを一体成形構造としたことにより、強度及び切削力が高まるとともに、隙間に毛屑が詰まることもなく、クリーニングが容易となる。
また、切削端辺により切削された毛屑が弧面により速やかに滑落し、固定刃の穿通孔に詰まることが無い。
さらに、固定刃の切削斜面を備えた穿通孔と電動刃装置の切削端辺が相互に隣接して設置されているため、切削力が高まる
【図面の簡単な説明】
【０００７】
【図１】本考案の実施例を示す鼻毛カッターの電動刃の分解斜視図である。
【図２】本考案の実施例に係る電動刃装置の斜視図である。
【図３】本考案の実施例に係る固定刃の断面図である。
【図４】本考案の実施例を示す鼻毛カッターの電動刃の断面図である。
【図５】本考案の実施例に係る電動刃装置の平面図である。
【考案を実施するための形態】
【０００８】
以下、本考案の実施例を図面に基づいて詳細に説明する。
図１及び図４に示すように、本考案の鼻毛カッターの電動刃１は、伝動部材２０を備えたハンドル２に連結して用いられ、電動刃座体１０、連結棒１１、弾性部材１２、電動刃装置１３（金属またはセラミック材料或いは複合材料とすることができる）及び固定刃１４を含む。
電動刃座体１０は、伝動部材２０に連接する連接端１００と、固定端１０２と、連接端１００及び固定端１０２を貫通する収容空間１０４を備える。
連結棒１１は収容空間１０４に配置され、連結棒１１の一端には弾性部材１２が設置される。
【０００９】
電動刃装置１３は、図２に示すように、連接構造１３０とナイフ１３２を含み、連接構造１３０とナイフ１３２が一体成形される。
ナイフ１３２は、本体１３２０と、本体１３２０の側面から張り出した複数の切削部１３２１を含み、各切削部１３２１の一側辺に切削端辺１３２２が形成されると共に、切削部１３２１の連接構造１３０と逆側の端面において、切削端辺１３２２と対向する側の角が弧面構造１３２３となっている。また、切削端辺１３２２は切削部１３２１の頂部から底部まで延伸され、弧面構造１３２３は頂部に位置する。
図５に示すように、各切削部１３２１は、本体１３２０の側面から延伸され、横断面において、一側面が外方へ凸な弧状に湾曲し、他側面が平面となっている。そして、切削部１３２１の他側面に平行な本体１３２０の断面の中心線Ｌ１と切削部１３２１の一側面（湾曲面）の接線Ｌ２とのなす角度は鋭角Ａとなっている。
連接構造１３０は、固定端１０２に設置され、かつ電動刃座体１０と連動する。
連接構造１３０とナイフ１３２を一体成形構造としたことにより、強度を強化し、切削力を高めるとともに、毛屑の詰まりが発生せず、クリーニングが容易となる。
【００１０】
図３に示すように、固定刃１４は、被着端１４０と保護端１４２を備え、被着端１４０が電動刃装置１３及び電動刃座体１０の外部に被着される。
保護端１４２には複数の穿通孔１４４（概ねＬ字形を呈する）が設けられる。各穿通孔１４４は、切削斜面１４４０を備え、かつ切削端辺１３２２と相隣して設置される。
【００１１】
図１に示すように、連結棒１１は、外周面に平面状の位置規制部１１０を備え、電動刃座体１０は、連接端１００の内側面に、位置規制部１１０と相互に当接される平面状の位置規制面１０１を備え、これにより電動刃座体１０が伝動部材２０により動かされて旋回されるとき、連結棒１１も連動させて回動させることができる。
また、電動刃装置１３は連接構造１３０の側面に少なくとも１つの位置決め部１３１を備え、電動刃座体１０の固定端１０２の内側面に位置決め部１３１と相互に係合されるほぞ部１０３が設けられる。これにより、電動刃座体１０が回動するとき、電動刃装置１３も連動して回動することができる。
さらに、連結棒１１の一端に設けられた弾性部材１２が電動刃装置１３に当接され、電動刃装置１３が弾性部材１２により付勢されることで、ナイフ１３２が固定刃１４の内側面に押し付けられる。これにより、ナイフ１３２が鼻に深く進入してカットできる。
【００１２】
固定刃１４を人体の鼻孔内部に挿入し、鼻毛を穿通孔１４４に穿通させて、固定刃１４内部に進入させる。固定刃１４の穿通孔１４４が概ねＬ字形を呈しているため、鼻毛を多方向から固定刃１４内部に進入させることができる。
また、電動刃装置１３は固定刃１４内部に設置され、電動刃座体１０とハンドル２上の伝動部材２０との連接により、伝動部材２０の駆動を通じて電動刃装置１３を固定刃１４内部で旋回させる。
連接構造１３０及びナイフ１３２が一体成形され、かつ各穿通孔１４４と切削部１３２１が相互に隣接して設置されているため、強度を強化すると同時に、電動刃装置１３の切削力も高めることができる。
【００１３】
また、各切削部１３２１が本体１３２０の側面から延伸され、上記したように本体１３２０の断面の中心線Ｌ１と各切削部１３２１の湾曲面の接線Ｌ２とのなす角度が鋭角Ａであるため、切れ味が増し、しかも、ナイフ１３２が高速で旋回するときの強度が向上される。
また、切削端辺１３２２が切削部１３２１において保護端１４２側の頂部から底部まで延伸されているため、固定刃１４の各穿通孔１４４の位置に対応させて設置することができる。
さらに、各穿通孔１４４がいずれも切削斜面１４４０を備えており、かつ切削端辺１３２２と相隣して設置されているため、電動刃装置１３の動作時の切削効果を増強することができる。
また、切削後はナイフ１３２の保護端１４２側に形成された弧面構造１３２３により効果的に毛屑の滑落を促進することができる。
【００１４】
なお、本実施例では、電動刃装置１３と固定刃１４は、セラミック材料あるいは複合材料または金属粉末の造粒後に射出成型する方法で形成した後、高温焼結して成り、材料が緻密な完成品を形成することができ、かつセラミック材料または金属粉末を高温焼結して成るため、繰り返し洗浄しても錆が発生することがなく、個人による使用の衛生と安全性に適しており、個人の身体の健康に有益である。
【００１５】
以上は、本考案の実施例の説明であって、本考案の権利範囲を限定するものではなく、実用新案登録請求の範囲を逸脱しない変更や修飾はいずれも本考案の権利範囲に含まれる。
【符号の説明】
【００１６】
１        電動刃
１０      電動刃座体
１００    連接端
１０１    位置規制面
１０２    固定端
１０３    ほぞ部
１０４    収容空間
１１      連結棒
１１０    位置規制部
１２      弾性部材
１３      電動刃装置
１３０    連接構造
１３１    位置決め部
１３２    ナイフ
１３２０  本体
１３２１  切削部
１３２２  切削端辺
１３２３  弧面構造
１４      固定刃
１４０    被着端
１４２    保護端
１４４    穿通孔
１４４０  切削斜面
２        ハンドル
２０      伝動部材
Ｌ１      中心線
Ｌ２      接線
Ａ        鋭角
【図１】
0003213105.tif 000003
【図２】
0003213105.tif 000004
【図３】
0003213105.tif 000005
【図４】
0003213105.tif 000006
【図５】
0003213105.tif 000007